(57)【要約】 【課題】  記録媒体に記録される番組を検索可能に記録する番組記録装置において、その検索に適合した検索用番組情報を容易に作成できるようにする。【解決手段】  予め用意された複数の要素を組み合わせて任意のパターンを生成する任意パターン生成部１７と、任意パターン生成部１７により生成された任意パターンにおける各要素の内容を設定して番組を特定する任意番組情報を作成する内容設定部１８と、任意パターン生成部１８によって作成された任意番組情報を記録媒体に番組の検索用として付与する記録再生部１２とを備えていることを特徴とする。【選択図】    図１
2007266996.tif 000002
【特許請求の範囲】
【請求項１】
記録媒体に記録される番組を検索可能に記録する番組記録装置において、
予め用意された複数の要素を組み合わせて任意のパターンを生成する任意パターン生成手段と、
予め用意された番組を特定する既存のパターンから所定のパターンを選択する既存パターン選択手段と、
前記任意パターン生成手段により生成された任意パターンにおける各要素の内容を設定して番組を特定する任意番組情報を作成すること、及び前記既存パターン選択手段により選択された既存パターンにおける各要素の内容を設定して番組を特定する既存番組情報を作成する内容設定手段と、
前記任意パターン生成手段による任意パターンの生成動作と前記既存パターン選択手段による既存パターンの選択動作とを選択する番組情報選択手段と、
前記内容設定手段によって作成された前記任意番組情報と前記既存番組情報を記録媒体に番組の検索用として付与する記録手段とを備えていることを特徴とする番組記録装置。
【請求項２】
記録媒体に記録される番組を検索可能に記録する番組記録装置において、
予め用意された複数の要素を組み合わせて任意のパターンを生成する任意パターン生成手段と、
前記任意パターン生成手段により生成された任意パターンにおける各要素の内容を設定して番組を特定する任意番組情報を作成する内容設定手段と、
前記任意番組情報を記録媒体に番組の検索用として付与する記録手段とを備えていることを特徴とする番組記録装置。
【請求項３】
記録媒体に記録される番組を検索可能に記録するために用いられる検索用番組情報の生成方法において、
番組情報のパターンを構成する複数の要素を予め記録して用意するステップと、
予め用意された前記複数の要素を組み合わせて任意のパターンを生成する任意パターン生成のステップと、
番組情報のパターンを予め用意するステップと、
前記用意された既存パターンを選択するステップと、
前記任意パターン生成のステップにより生成された任意パターンにおける各要素の内容を設定して番組を特定する任意番組情報を作成すること、及び前記既存パターンの選択のステップにより得られた既存パターンにおける各要素の内容を設定して番組を特定する既存番組情報を作成する内容設定のステップと、
前記任意パターン生成のためのステップと前記既存パターン選択のステップとを選択するステップと、
前記内容設定のステップにより作成された任意番組情報と既存番組情報を記録媒体に番組の検索用として付与するステップとを備えていることを特徴とする検索用番組情報の生成方法。
【請求項４】
記録媒体に記録される番組を検索可能に記録するために用いられる検索用番組情報の生成方法において、
番組情報のパターンを構成する複数の要素を予め記録して用意するステップと、
予め用意された前記複数の要素を組み合わせて任意のパターンを生成する任意パターン生成のステップと、
前記任意パターン生成のステップにより生成された任意パターンにおける各要素の内容を設定して番組を特定する任意番組情報を作成する内容設定のステップと、
前記内容設定のステップにより作成された任意番組情報を記録媒体に番組の検索用として付与するステップとを備えていることを特徴とする検索用番組情報生成方法。
【発明の詳細な説明】
【技術分野】
【０００１】
本発明は、番組を記録媒体に記録する番組記録装置に関し、該番組を特定する検索番組情報によって番組を検索可能に記録する番組記録装置及び検索用番組情報の生成方法に関する。
【背景技術】
【０００２】
従来、予約録画するための番組の選択、記録された録画番組から所望の録画番組を選択するための各種の方法が提案されている。
【０００３】
従来の技術としては、例えば下記特許文献１で示すものがある。これは、番組録画装置において、放送関係の情報提供業者などによって予め作成された電子番組表示データが記録される。そして、番組録画装置がその電子番組表示データの内容を再生する。この再生された電子番組表示データに基づく番組表を表示するための表示データを生成する。この生成に当たっては、番組ＩＤに関する付加情報を含ませている。例えば、付加情報１は番組名や出演者の情報を、付加情報2は番組内容やジャンル、キーワードなどの情報を、付加情報3は番組の１シーンを含んでいる。
【０００４】
また、従来技術としては、下記特許文献２で示すものがある。これは、デジタルデータとして記録された録画番組の中から所望の録画番組を選択するために、キーワードを用いたものである。具体的には、キーワード検索手段による検索の結果、抽出されたキーワードに再生を意味するキーワードが含まれていた場合、番組を特定する他のキーワードに基づいて録画内容記録部を検索し、そのキーワードにより特定された録画番組を選択する。
【０００５】
更に、同様の従来技術として、例えば下記の特許文献３で示すものがある。これは、ディスク記録媒体に記録するデータファイルの管理情報をまとめたファイル管理情報が、記録されたコンテンツファイルと、どのようなコンテンツであるかを示す属性情報のオブジェクトタイプ、データ記録の開始日時情報、終了情報などの記録に関するものから構成されている。そして、ディスク記録媒体に記録した映像番組などのコンテンツの管理に用いたものである。
【０００６】
【特許文献１】特開２００４−１４０５２７号公報（段落〔００５６〕）
【０００７】
【特許文献２】特開２００１−９４９１２号公報（段落〔００１４〕）
【０００８】
【特許文献３】特開２０００−２３６４９６号公報（段落〔００１４〕）
【発明の開示】
【発明が解決しようとする課題】
【０００９】
しかしながら、前記特許文献１〜３に示すような従来技術においては、番組を特定する検索用の番組情報は予め用意された定型のものである。そのため、ユーザが自分の使い勝手の良さ、好みに応じた検索用の番組情報を作成することは考慮されていなかった。もし、ユーザは使い勝手の良い検索用の番組情報を必要とするときには、その番組情報を一文字つづ選んで作成しなければならず、その作業は大変に面倒なことであった。特に、番組が多種、多様に亘る場合にあっては、このような番組中から所望の番組を効率よく検索するための検索用番組情報の存在が望まれていた。
【００１０】
そこで、本発明は従来の問題点を除去するために、記録媒体に記録される番組を検索する際に、その検索に適した検索用番組情報を容易に作成できる番組記録装置及び検索用番組情報の作成方法を提供することを目的とする。
【課題を解決するための手段】
【００１１】
前記課題を解決するために、本願の請求項１に係る発明は、記録媒体に記録される番組を検索可能に記録する番組記録装置において、予め用意された複数の要素を組み合わせて任意のパターンを生成する任意パターン生成手段と、予め用意された番組を特定する既存のパターンから所望の既存パターンを選択する既存パターン選択手段と、前記任意パターン生成手段により生成された任意パターンにおける各要素の内容を設定して番組を特定する任意番組情報を作成すること、及び前記既存パターン選択手段により選択された既存パターンにおける各要素の内容を設定して番組を特定する既存番組情報を作成する内容設定手段と、前記任意パターン生成手段による任意パターンの生成動作と前記既存パターン選択手段による既存パターンの選択動作とを選択する番組情報選択手段（例えば、番組情報選択キー１５１、主制御部１３などから形成される番組情報選択手段）と、前記内容設定手段によって作成された前記任意番組情報と前記既存番組情報を記録媒体に番組の検索用として付与する記録手段（例えば、記録再生部１２、主制御部１３、番組情報記憶部１９などから形成される記録手段）とを備えていることを特徴とする。
【００１２】
また、本願の請求項２に係る発明は、記録媒体に記録される番組を検索可能に記録する番組記録装置において、予め用意された複数の要素を組み合わせて任意のパターンを生成する任意パターン生成手段と、前記任意パターン生成手段により生成された任意パターンにおける各要素の内容を設定して番組を特定する任意番組情報を作成する内容設定手段と、前記任意番組情報を記録媒体に番組の検索用として付与する記録手段（例えば、記録再生部１２、主制御部１３、番組情報記憶部１９などから形成される記録手段）とを備えていることを特徴とする。
【００１３】
また、本願の請求項３に係る発明は、記録媒体に記録される番組を検索可能に記録する番組記録に用いられる検索用番組情報生成方法において、番組情報のパターンを構成する複数の要素を予め記録して用意するステップ（例えば、ステップS２）と、予め用意された前記複数の要素を組み合わせて任意のパターンを生成する任意パターン生成のステップ（例えば、ステップS１９）と、番組情報のパターンを予め用意するステップ（例えば、ステップS１）と、前記用意された既存パターンを選択するステップ（例えば、ステップS４）と、前記任意パターン生成のステップにより生成された任意パターンにおける各要素の内容を設定して番組を特定する任意番組情報を作成すること、及び前記既存パターンの選択のステップにより得られた既存パターンにおける各要素の内容を設定して番組を特定する既存番組情報を作成する内容設定のステップ（例えば、ステップS２０及びステップS１５）と、前記任意パターン生成のためのステップと前記既存パターン選択のステップとを選択するステップ（例えば、ステップS１２）と、前記内用設定のステップにより作成された任意番組情報と既存番組情報を記録媒体に番組の検索用として付与するステップ（例えば、ステップ２２及びステップS１７）とを備えていることを特徴とする。
【００１４】
また、本願の請求項４に係る発明は、記録媒体に記録される番組を検索可能に記録する番組記録に用いられる検索用番組情報生成方法において、番組情報のパターンを構成する複数の要素を予め記録して用意するステップと（例えば、ステップS２）、予め用意された前記複数の要素を組み合わせて任意のパターンを生成する任意パターン生成のステップ（例えば、ステップS１９）と、前記任意パターン生成のステップにより生成された任意パターンにおける各要素の内容を設定して番組を特定する任意番組情報を作成する内容設定のステップ（例えば、ステップS２０）と、前記内容設定のステップにより作成された任意番組情報を記録媒体に番組の検索用として付与するステップ（例えば、ステップS２２）とを備えていることを特徴とする。
【発明の効果】
【００１５】
本願の請求項1の発明に係る番組記録装置によれば、記録媒体に記録されている番組を検索するための検索用番組情報は、そのパターンを予め用意された多くの要素から選んで組み合わせ、各要素の内容を設定して任意の番組情報を形成することと、予め用意された既存のパターンを選択して既存の番組情報を形成することを番組情報選択手段により選べることができる。そのため、以下の効果を有する番組記録装置を提供することができる。
【００１６】
第一に、ユーザは自分の使い勝手の良い、好みに合った検索用番組情報を作成したいときには、任意番組情報の形成を選ぶことにより、要素を選択するだけで番組の検索用として用いる番組情報のパターンが生成できるので、任意番組情報を簡単に確実に作成することができる効果を有する。
【００１７】
第二に、ユーザは定形の内容による検索用番組情報で検索が満足できると判断した場合には、既存番組情報の作成を行うことを選ぶことにより、用意されたパターンを選択するだけで検索用番組情報が作成できるので、必要に応じて簡単な操作で迅速に作成可能な既存番組情報を用いることができる効果を有する。
【００１８】
また、本願の請求２の発明に係る番組記録装置によれば、記録媒体に記録されている番組を検索するための検索用番組情報は、そのパターンを予め用意された要素から選んで組み合わせ、各要素の内容を設定して形成することができる。そのため、ユーザは要素を選択するだけで番組の検索用として用いる番組情報のパターンが生成できるので、自分の使い勝手の良い、好みに合った検索用番組情報を簡単に確実に作成することができる効果を有する。
【００１９】
また、本願の請求３の発明によれば、記録媒体に記録されている番組を検索するための検索用番組情報は、そのパターンを予め用意し、その中から所望の要素を選んで組み合わせて任意のパターンを生成し、各要素の内容を設定して任意の検索用番組情報を作成することができる。一方、予め用意された既存のパターンを選択して既存の番組情報を形成することを番組情報選択手段により選べることができる。そのため、以下の効果を有する検索用番組情報の生成方法を提供することができる。
【００２０】
第一に、ユーザは自分の使い勝手の良い、好みに合った番組情報を生成したいときには、任意番組情報の形成を選ぶことにより、要素を選択するだけで番組の検索用として用いる番組情報のパターンが生成できるので、任意番組情報を簡単に確実に作成することができる効果を有する。特に、番組の内容が多種、多様に亘り場合において、予め多数の要素を用意しておくことにより検索として適正な番組情報を作成することが簡単にできる
【００２１】
第二に、ユーザは定形の内容による番組情報で検索が満足できると判断した場合には、既存番組情報の形成を行うことを選ぶことにより、用意されたパターンを選択するだけで番組情報が形成できるので、必要に応じて既存番組情報を用いることができる効果を有する。
【００２２】
また、本願の請求４の発明に係る検索用番組情報の生成方法によれば、記録媒体に記録されている番組を検索するための番組情報は、そのパターンを構成する要素を予め用意し、その中から所望の要素を選んで組み合わせて任意のパターンを生成し、各要素の内容を設定して任意の番組情報を作成することができる。そのため、ユーザは要素を選択するだけで番組の検索用として用いる番組情報のパターンが生成できるので、自分の使い勝手の良い、好みに合った番組情報を簡単に確実に作成することができる効果を有する。特に、番組の内容が多種、多様に亘り場合において、予め多数の要素を用意しておくことにより検索として適正な番組情報を作成することが簡単にできる
【発明を実施するための最良の形態】
【００２３】
本発明を実施するための最良の形態としては、以下に説明する実施例である。
【実施例】
【００２４】
以下、本発明の実施例について図面を参照して説明する。図１は実施例における番組記録装置を示すブロック図、図２は図１における既存パターン選択部を示すブロック図、図３は図１における任意パターン生成部を示すブロック図、図４は本発明の実施例における既存パターンと既存番組情報を示す説明図、図５は本発明の実施例における任意パターンと任意番組情報を示す説明図、図６は本発明の実施例における初期設定の方法を示すフローチャート、図７は本発明の実施例における検索用番組の生成方法を示すフローチャートである。
【００２５】
図１において、１は番組記録装置であって、この番組記録装置１は、テレビジョン受信装置２からのテレビジョン信号を入力し、また、テレビジョン受信装置２に再生信号を出力する入出力部１１と、入力されたテレビジョン信号を記録媒体に記録し、また、記録媒体に記録された番組を再生する記録再生部１２と、記録再生の制御、後述する検索用番組情報生成の制御及び番組情報を用いた検索制御などを行う主制御部１３と、主制御部１３における記録再生の制御、同じく後述する検索用番組情報生成の制御及び番組情報を用いた検索制御などの各種制御に用いられる情報を記憶するための主制御用記憶部１４と、記録再生の操作、同じく後述する検索用番組情報生成の操作及び番組情報を用いた検索操作などを行うための操作部１５とを備えている。
【００２６】
ここで、テレビジョン受信装置２はモニター部２１を有し、モニター部２１が記録再生の操作、検索用番組情報生成の操作、番組の検索操作、編集操作などを行う際に、その操作画面、検索用番組情報などを表示するようになっている。そのために、操作表示の信号、検索用番組情報の信号が番組記録装置１とテレビジョン受信装置２との間で伝送されるようになっている。
【００２７】
また、番組記録装置１は、番組を特定し検索に供するために予め決められた複数の要素から構成される既存パターンから所定の既存パターンを選択するための既存パターン選択部１６と、番組を特定し検索に供するために予め決められた複数の要素から任意に構成される任意パターンを生成する任意パターン生成部１７と、既存パターン又は任意パターンを構成する各要素に所定の内容を設定する内容設定部１８と、各要素の内容が設定された既存パターンで構成されている既存番組情報又は同じく各要素の内容が設定された任意パターンで構成されている任意番組情報を記録保持する番組情報記録部１９と、番組情報記録部１９に記録されている既存番組検情報又は任意番組情報を記録再生装置１２に記録される番組の検索用として用いて番組をアクセスするためのアクセス部２０とを備えている。
【００２８】
また、既存パターン選択部１６は、図２で示すように、既存パターンを予め記録しておく既存パターン記録回路１６１と、操作部１５の既存番組情報の生成操作により既存パターン記録回路１６１に記録されている既存パターンをモニター部２１に表示するように読み出され、操作部１５の選択操作により選択された既存パターンを内容設定部１８に出力する既存パターン出力回路１６３とから構成されている。
【００２９】
また、任意パターン登録部１７は、図３で示すように、パターンを構成する要素を予め記憶する要素記憶回路１７１と、操作部１５の既存番組情報の生成操作により各要素をモニター部２１に表示するように読み出して任意に組み合わせるための要素組み合わせ回路１７２と、要素組み合わせ部１７２において要素が組み合わされてえられたパターンを任意パターンとして内容設定部１８に出力する任意パターン出力回路１７３とから構成されている。
【００３０】
また、内容設定部１８は、既存パターン選択部１６から出力された既存パターンと任意パターン生成部１７から出力された任意パターンとを一旦記録し、操作部１５の操作によってモニター部２１に表示した状態で各要素に内容を入力するようになっている。この内容は予め用意されているワードを選択することと、新たに作成する方法をとることができる。
【００３１】
また、操作部１５は、図１で示すように既存パターン選択部１６を作動させて既存パターンを得ることと、任意パターン生成部１７を作動させて任意パターンを得ることとを選択して既存番組情報と任意番組情報とを選択的に取得する番組情報選択キー１５１を備えている。すなわち、番組情報選択キー１５１の操作によって、主制御部１３が既存パターン選択部１６と任意パターン生成部１７とを選択的に作動させて既存番組情報と任意番組情報を作成するように制御するようになっている。
【００３２】
既存番組情報は、図4で示すように予め既存パターン記録部１６１に記録保存されている複数の既存パターン１０１、１０２……から所望のパターンを選択し、そのパターンに内容を設定して任意番組情報２０１、２０２として得られるようになっている。すなわち、一番目の既存パターン１０１は、日付、ジャンル、タイトルの要素からなるものとして定型化され予め用意されたものであり、既存パターン１０２は、日付、時間、タイトルの要素からなるものとして予め用意されたものである。例えば、ユーザが時間を重要視する場合には二番目の既存パターン１０２を選択するようになっている。そして、その要素の内容を設定して既存番組情報２０２が得られるようになっている。
【００３３】
任意番組情報は、図５で示すように要素記録回路１８１に記録保持されている要素群３０１から任意の要素を選んで組み合わせて任意パターン３０２を生成し、そのパターンに内容を設定して任意番組情報３０３が得られるようになっている。すなわち、要素群３０１は、日付、時間、ジャンル、タイトル、ドラマなどのシリーズの話数、編集者の名前などが予め用意されている。そして、ユーザは操作部１５を操作して主制御部１３でもって任意パターン衛生部１７を制御し、要素群３０１から任意に要素を選んで組み合わせることができる。この組み合わせは要素の数、順儒を任意に選択できるようになっている。たとえば、ユーザによって選ばれた任意番組情報３０３は、日付、タイトル及び名前の要素から構成されたものである。
【００３４】
次に、上述した本発明の実施例の構成による番組記録装置１の動作と番組検索用番組情報生成方法について説明する。この説明に当たっては、図６、図７のフローチャートを参照する。
【００３５】
番組記録装置１の記録再生部１２において記録媒体に記録された番組は、その検索のために番組情報を用いる。まず初期設定を行うが、この初期設定は図5に示すように、既存パターン記憶回路１６１に予め定型的な既存パターン１０１、２０１を記憶する（ステップS１）。同時に、要素記憶回路１７１に複数の要素を要素群３０１として記憶する（ステップS２）。
【００３６】
ユーザは番組記録装置１において記録媒体に記録される番組をアドレスとして付して編集を行う場合は、操作部１５でもって編集開始の操作を行う（ステップS１１）。そして、ユーザは既存パターンから構成される既存番組情報を利用するか否かを選択する（ステップS１２）。この選択は、主制御部１３がモニター部２１に選択の問い合わせの表示を行うように制御し、ユーザが問い合わせ表示を番組情報選択キー１５１の操作によって選ぶことによって行われる。
【００３７】
ステップS２においてユーザが既存番組情報を利用することを選択した場合は、既存パタ−ン選択部１６における既存パターンの選択が行なわれる。この選択によって、主制御部１３は、既存パターン記録回路１６１に記録保存されている既存パターン１０１、１０２……をモニター部２１に表示する（ステップS１３）。ユーザはこの表示画面から所望の既存パターンを選択し、その選択結果を操作部１５を操作して入力する（ステップS１４）。この操作によって、例えば、既存パターン１０１が選択されて既存パターン出力部１６２から出力され、内容設定部１８に供給される。この既存パターン１０１は内容設定部１８において各要素の内容が設定される（ステップS１５）。既存パターン１０１は、日付、ジャンル、タイトルの要素から形成されているので、日付には番組が放送された年月日を設定し、ジャンルには例えばプロ野球という内容を設定し、タイトルには例えば○○×△△戦というタイトルを設定する。この内容設定によって既存番組情報２０１が完成され、番組情報記憶部１９に記憶される（ステップS１６）。既存番組情報は対応する番組の検索用として付与されるために番組記録媒体に記録される（ステップS１７）。
【００３８】
一方、ステップS１２においてユーザが番組情報選択キー１５１の操作によって任意番組情報を利用することを選択した場合は、任意パタ−ン選択部１７における任意パターンの生成が行なわれる。この任意番組を利用する選択によって、主制御部１３は、要素記録回路１７１に記録保存されている要素群３０１をモニター部２１に表示する（ステップS１８）。ユーザはこの表示画面から所望の要素を選択して組み合わせ、任意のパターンを生成する（ステップS１９）。任意に要素を組み合わせて生成された、例えば任意パターン３０２は任意パターン出力部１７３から出力され、内容設定部１８に供給される。内容設定部１８こ供給された任意パターン３０２は各要素の内容が設定される（ステップS２０）。任意パターン３０２は、日付、タイトル、名前の要素が選択されて形成されているので、日付には番組画放送された年月日を設定し、タイトルには例えば○○×△△戦というタイトルを設定し、名前には例えば編集者である父を設定する。
【００３９】
この内容設定によって任意番組情報３０３が完成され、番組情報記憶部２０に記憶される（ステップS２１）。任意番組情報は対応する番組の検索用として付与されるために番組記録媒体に記録される（ステップS２２）。その後、ユーザは、操作部１５を操作しアクセス部によって検索用番組情報を用いた記録媒体の番組の検索を行いアクセスする。
【００４０】
上述した実施例によれば、番組記録装置１において記録媒体に記録されている番組を検索用番組情報を用いて検索可能にするに当たり、任意番組情報を用いるか定形である既存番組情報を用いるかの選択ができる。
【００４１】
ユーザは、自分の使い勝手の良い、好みに合った検索番組情報を用いたい場合は、操作部１５の番組情報選択キー１５１を操作して任意番組情報の利用を選択することができる。この選択結果によって、まず、番組記録装置１が任意パターン生成部１７における要素記憶回路１７１の要素群３０１から所望の要素を選べるように、要素群３０１をユーザに提供する。ユーザは提供された要素群３０１から所望の要素を選択して任意のパターンを生成し、内容設定部１８において内容を設定することにより任意番組情報を作成できる。そして、記記録再生部１２において、録媒体に番組の検索用番組情報として付与することができる。また、選択する要素は、その数を増減できるのでユーザの必要とする内容の番組情報が的確に得られる。
【００４２】
そのため、ユーザは、必要とする要素が要素群３０１として予め用意されているので、この要素群３０１からの要素を選択するだけで番組情報のパターンを生成できる。従って、任意番組情報の作成が最初から一文字づつ入力することなく簡単にできる。特に、番組の内容が多種、多様に亘る場合には、これらの番組を特定することに適した要素を予め用意しておくことにより、検索に適合した検索用番組情報としての任意番組情報が簡単に作成できる。
【００４３】
一方、ユーザは、定形の内容による番組情報で検索が満足できると判断した場合は、操作部１５の番組情報選択キー１５１を操作して既存番組情報の利用を選択することができる。この選択結果によって、番組記録装置１が既存パターン生成部１６における既存パターン記憶回路１６１の既存パターン１０１、１０２から所望の要素を選べるように、これら既存パターン１０１，１０２をユーザに提供する。ユーザは提供された既存パターン１０１，１０２から所望のパターンを選択して既存パターンを生成し、内容設定部１８において内容を設定することにより既存番組情報を作成できる。そして、記記録再生部１２において、録媒体に番組の検索用番組情報として付与することができる。
【００４４】
そのため、ユーザは、定形の内容による番組情報で検索が満足できると判断した場合には、簡単な操作で迅速に作成可能な既存番組情報を用いることができる。
【００４５】
尚、上述した本発明の実施例にあっては、任意番組情報は記録媒体に記録された番組の編集時に付与する場合について説明したが、本発明は、これに限定されることなく予約録画の際の番組検索用として用いるようにしてもよい。
【００４６】
尚、また、上述した本発明の実施例にあっては、番組記録装置が既存パターンから構成される既存番組情報と任意パターンから構成される任意番組情報との組み合わせで番組の検索を行うものであるが、本発明は、これに限定されることなく番組記録装置が任意パターンから構成される任意番組情報だけでもって番組の検索を行うものであってもよい。
【００４７】
尚、また、上述した本発明の実施例にあっては、既存パターン作成を既存パターン記憶回路１６１に記憶されたパターンを用いているが、本発明においては、テレビジョン受信装置２で受信される電子プログラムガイドから既存のパターンを取得して既存番組情報を作成するようにしてもよい。
【図面の簡単な説明】
【００４８】
【図１】本発明の実施例における番組記録装置を示すブロック図である。
【図２】図１における既存パターン選択部を示すブロック図である。
【図３】図１における任意パターン生成部を示すブロック図である。
【図４】本発明の実施例における既存パターンと既存番組情報を示す説明図である。
【図５】本発明の実施例における任意パターンと任意番組情報を示す説明図である。
【図６】本発明の実施例における初期設定の方法を示すフローチャートである。
【図７】本発明の実施例における検索用番組の生成方法を示すフローチャートである。
【符号の説明】
【００４９】
１      番組記録装置
２      テレビジョン受信装置
１１    入出力部
１２    記録再生部
１３    主制御部
１４    主制御部用記憶部
１５    操作部
１６    既存パターン選択部
１７    任意パターン選択部
１８    内容設定部
１９    番組情報記憶部
２０    アクセス部
２１    モニター部
１５１  番組情報選択キー
１６１  既存パターン記憶回路
１６２  既存パターン出力回路
１７１  要素記憶回路
１７２  要素組み合わせ回路
１７３  任意パターン出力回路
１０１  既存パターン
２０１  既存番組情報
３０１  要素群
３０２  任意パターン
３０３  任意番組情報
【図１】
2007266996.tif 000003
【図２】
2007266996.tif 000004
【図３】
2007266996.tif 000005
【図４】
2007266996.tif 000006
【図５】
2007266996.tif 000007
【図６】
2007266996.tif 000008
【図７】
2007266996.tif 000009